(57)【要約】【課題】目標の階調（輝度値）に達成されるまでの期間の間に、複数色成分画素からなる液晶表示装置の１表示単位である各画素において、輝度バランスが崩れるのを抑制可能なオーバードライブ駆動される液晶表示装置を提供する。【解決手段】第１階調値は、画素表示が遷移中の任意の時刻における画素に印加される電圧値に該当する第１変換テーブル（入力階調値と出力階調値とが非線形の入出力特性に基づく）の出力階調値であり、第２階調値は、上記第１階調値の入力階調値が入力されたときに、階調値変換部が第２変換テーブル（入力階調値と出力階調値とが線形の入出力特性に基づく）を用いて、上記入力階調値を変換した結果として出力される出力階調値であり、上記第１階調値が上記第２階調値より小さい場合には、上記第１階調値が上記第２階調値より大きい場合のオーバードライブ駆動電圧より低いオーバードライブ駆動電圧が出力される。【選択図】図２
2015060051.tif 000002
【特許請求の範囲】
【請求項１】
表示パネルをオーバードライブ駆動する駆動回路であって、
入力階調値と出力階調値とが非線形の入出力特性に基づいて対応づけられている第１変換テーブル、または、入力階調値と出力階調値とが線形の入出力特性に基づいて対応づけられている第２変換テーブルを用いて、入力階調値を出力階調値に変換する階調値変換部を備え、
第１階調値は、画素表示が遷移中の任意の時刻における画素に印加される電圧値に該当する上記第１変換テーブルの出力階調値であり、
第２階調値は、上記第１階調値の入力階調値が入力されたときに、上記階調値変換部が上記第２変換テーブルを用いて、上記入力階調値を変換した結果として出力される出力階調値であり、
上記第１階調値が上記第２階調値より小さい場合には、上記第１階調値が上記第２階調値より大きい場合のオーバードライブ駆動電圧より低いオーバードライブ駆動電圧が出力されることを特徴とする駆動回路。
【請求項２】
上記画素表示が遷移中の任意の時刻における画素に印加される上記電圧値を算出する電圧算出部を備えており、
上記電圧算出部は、Ｒを該当画素回路における抵抗値、Ｃを該当画素回路における容量値、Ｖを該当画素への印加電圧値、ｖを該当画素の電圧値とした場合、該当画素の初期状態の電圧値Ｖ０に、式１により算出される微小時間ｄｔにおける該当画素の電圧変化量ｄｖを、上記微小時間ｄｔの合計が上記画素表示が遷移中の任意の時刻までの時間となるように、繰り返し加算して算出することを特徴とする請求項１に記載の駆動回路。
【数１】
2015060051.tif 000006
【請求項３】
上記画素表示が遷移中の任意の時刻における画素に印加される上記電圧値を検知する電圧検知部を備えていることを特徴とする請求項１に記載の駆動回路。
【請求項４】
上記オーバードライブ駆動電圧の値は、上記第１階調値が上記第２階調値より小さい場合の値が、上記第１階調値が上記第２階調値より大きい場合の値より小さくなる連続的に変化する関数であることを特徴とする請求項１に記載の駆動回路。
【請求項５】
上記第１階調値は、第１オーバードライブ駆動電圧値が印加された場合に、上記画素表示が遷移中の任意の時刻における画素に印加される上記電圧値に該当する上記第１変換テーブルの出力階調値であり、
上記第１階調値が上記第２階調値より小さい場合には、上記第１オーバードライブ駆動電圧値より小さいオーバードライブ駆動電圧が出力され、
上記第１階調値が上記第２階調値より大きい場合には、上記第１オーバードライブ駆動電圧値より大きいオーバードライブ駆動電圧が出力されることを特徴とする請求項１に記載の駆動回路。
【発明の詳細な説明】
【技術分野】
【０００１】
本発明は、液晶表示パネルをオーバードライブ駆動する駆動回路に関するものである。
【背景技術】
【０００２】
従来の液晶表示装置は、駆動電圧の変化に対して液晶の応答速度が十分に早くないため、例えば、動画像を表示した場合に残像が発生するという問題を有していた。
【０００３】
このような問題を改善するため、下記特許文献１に開示されているように、液晶表示装置の応答速度を改善する技術として、オーバードライブ駆動という駆動方法が従来から知られている。
【０００４】
図５は、液晶表示パネルを通常駆動およびオーバードライブ駆動する場合、所望の画素電圧に到達するまでの時間を示す図である。
【０００５】
図５（ａ）は、液晶表示装置を通常駆動する場合を示しており、液晶表示装置の各液晶画素は容量性を有するため、液晶表示装置に備えられた電極を介して、液晶画素に一定の電圧を印加する通常の液晶駆動（通常駆動）を行う場合には、図示されているように、所望の画素電圧（図５（ａ）の場合には正規化された画素電圧０．９）に到達するまでに長い時間を要することとなる。
【０００６】
なお、０〜１で表す正規化された画素電圧とは、例えば、８ビットの０〜２５５のデジタル値に基づく正規化された画素電圧をいう。具体的には、例えば、階調値が２５５である場合には正規化された画素電圧は１であり、階調値が０である場合には正規化された画素電圧は０であり、階調値が１２６である場合には正規化された画素電圧は０．４９である。
【０００７】
一方、図５（ｂ）は、液晶表示パネルをオーバードライブ駆動する場合を示しており、図示されているように、このようなオーバードライブ駆動では、駆動開始から一定の期間、所望の画素電圧（図５（ｂ）の場合には正規化された画素電圧０．９）より高い駆動電圧（図５（ｂ）の場合には正規化された画素電圧１．０）を印加するようになっている。
【０００８】
このようなオーバードライブ駆動を用いることにより、液晶画素を図５（ａ）に示す通常駆動の場合よりも速く所望の画素電圧（図５（ｂ）の場合には正規化された画素電圧０．９）に到達させることができる。したがって、このようなオーバードライブ駆動を採用した液晶表示装置においては、その応答速度を改善することができる。
【０００９】
すなわち、オーバードライブ駆動とは、液晶表示装置に印加する電圧を一時的に高めることによって、不足している印加電圧を補い、目標とする階調（輝度値）をより早期に実現しようとする機能である。
【００１０】
また、液晶表示装置の分野においては、階調表示を滑らかに表現するため、例えば、８ビットの０〜２５５のデジタル値（以下の説明では正規化して０〜１で表す）に基づく正規化された画素電圧と、その画素の示す輝度値（Ｌ）とが線形に対応することが理想である。
【００１１】
図６（ａ）は、画素電圧（Ｖ）とその画素の示す輝度値（Ｌ）との理想的な入出力特性と、赤（Ｒ）色成分画素および緑（Ｇ）色成分画素の入出力特性とを示す図である。
【００１２】
なお、図６（ａ）における画素電圧は正規化されている。
【００１３】
しかしながら、図示されているように、実際の液晶表示装置においては、その物理的特性により、画素電圧（Ｖ）とその画素の示す輝度値（Ｌ）との入出力特性は、線形に対応する理想的な入出力特性ではなく、非線形の入出力特性を示すことが知られている。
【００１４】
図６（ａ）においては、例示的に赤（Ｒ）色成分画素および緑（Ｇ）色成分画素の入出力特性のみを図示しているが、典型的には、赤（Ｒ）色成分画素、緑（Ｇ）色成分画素および青（Ｂ）色成分画素毎に非線形の入出力特性が異なる。
【００１５】
それから、液晶表示装置において、例えば、１表示単位が赤（Ｒ）色成分画素、緑（Ｇ）色成分画素および青（Ｂ）色成分画素の３つの画素で構成されるとした場合、各色成分画素毎に異なる非線形の入出力特性が原因で、その輝度値（Ｌ）の比率が崩れ、ホワイトバランスの悪化を招き、本来はグレーや白といった無彩色として視認されるべき色が、何らかの色味掛ったように視認される現象が発生してしまう。
【００１６】
図６（ｂ）は、ルックアップテーブル（以下、ＬＵＴと略す）を用いて補正した、信号値（Ｄ）と画素電圧（Ｖ）との対応関係（以下、Ｄ−Ｖ特性と略す）を示す図である。
【００１７】
なお、図６（ｂ）における画素電圧は正規化されている。
【００１８】
従来から、このような本来はグレーや白といった無彩色として視認されるべき色が、何らかの色味掛ったように視認される現象を改善するため、一般的に、ＬＵＴを用いて、Ｄ−Ｖ特性を、図６（ｂ）に示すような、図６（ａ）に示す画素電圧（Ｖ）とその画素の示す輝度値（Ｌ）の対応関係（以下、Ｖ−Ｌ特性と略す）を相殺するような値に補正し、その信号値（Ｄ）とその画素の示す輝度値（Ｌ）の間の対応関係（以下、Ｄ−Ｌ特性と略す）が線形になるようにする方法が知られている。
【先行技術文献】
【特許文献】
【００１９】
【特許文献１】特開平１１−１２６０５０号公報（１９９９年５月１１日公開）
【発明の概要】
【発明が解決しようとする課題】
【００２０】
しかしながら、このような従来のオーバードライブ駆動を用いた場合、目標の階調（輝度値）に達成されるまでの期間の間に、複数色成分画素からなる液晶表示装置の１表示単位である各画素において、輝度バランスが崩れる現象が生じる。
【００２１】
このような現象は、例えば、ある画素が黒の映像から白の映像に変化する場合に、白黒以外の色味が視認されるという問題を引き起こしてしまう。
【００２２】
図７は、液晶表示装置のある画素が黒の映像から白の映像に変化する場合に、白黒以外の色味が視認されるという問題が生じた場合を示す図である。
【００２３】
以下、図６および図７に基づいて、上記問題となる現象について、詳しく説明する。
【００２４】
ＬＵＴを用いて、Ｄ−Ｖ特性を、図６（ｂ）に示すような、図６（ａ）に示すＶ−Ｌ特性を相殺するような値に補正し、そのＤ−Ｌ特性が線形になるようにした後に、上述した従来のオーバードライブ駆動を適用すると、補正された最終的に到達したい画素電圧を元に印加するオーバードライブ駆動電圧を決定することから、目標の階調（輝度値）に達成されるまでの期間の間（その遷移過程）において、１表示単位である各画素の複数色成分画素毎のバランスが崩れてしまうことがある。
【００２５】
例えば、図６（ｂ）のような特性に補正を行った場合であって、全色成分画素の信号値（Ｄ）が０から１に急激に変化する場合、すなわち、視認される表示としては黒色から白色に変化する場合を例に取ってその過程を説明する。
【００２６】
図６（ｂ）の赤（Ｒ）色成分画素に補正を行うためのＤ−Ｖ特性を見ると、画素電圧（Ｖ）が比較的高い値を有する領域である正規化された信号値（Ｄ）が１における画素電圧（Ｖ）は、補正を行わない時のＤ−Ｖ特性上の正規化された信号値（Ｄ）が１における画素電圧（Ｖ）より高いため、オーバードライブ電圧もこれに応じて相対的に高い値を印加するよう制御されることとなる。
【００２７】
しかし、図６（ｂ）の赤（Ｒ）色成分画素において画素電圧（Ｖ）が比較的低い値を有する領域のＤ−Ｖ特性を見ると、むしろ補正を行わない場合よりも画素電圧（Ｖ）を低くするのが望ましい状態である。
【００２８】
したがって、補正を行わない場合より高い画素電圧（Ｖ）となるようなオーバードライブ電圧を印加すると、画素電圧の遷移過程で、画素電圧（Ｖ）が比較的低い値を有する領域を通過する時間においては、本来よりその色成分が強く表示されてしまうことになる。
【００２９】
すなわち、この場合においては、本来グレーであるべき色がピンクのような赤みが掛った色に見えてしまうのである。
【００３０】
１表示単位である各画素を構成する他の色成分画素でも同じような現象が起こるとすると、結果として表示の遷移中のみ何らかの色味が掛った表示がされることになってしまう。
【００３１】
この現象が、実用上どのような場面で問題になるかというと、図７に図示されているように、黒の背景に表示した白色の文字がスクロール操作などで画面内を移動するような場合、すなわち、黒の背景であった画素部分が白色の文字に変化する場合、色味掛って視認されることがある。
【００３２】
本発明の目的は、目標の階調（輝度値）に達成されるまでの期間の間に、複数色成分画素からなる液晶表示パネルの１表示単位である各画素において、輝度バランスが崩れるのを抑制可能な表示パネルをオーバードライブ駆動する駆動回路を提供することである。
【課題を解決するための手段】
【００３３】
本発明の駆動回路は、表示パネルをオーバードライブ駆動する駆動回路であって、入力階調値と出力階調値とが非線形の入出力特性に基づいて対応づけられている第１変換テーブル、または、入力階調値と出力階調値とが線形の入出力特性に基づいて対応づけられている第２変換テーブルを用いて、入力階調値を出力階調値に変換する階調値変換部を備え、第１階調値は、画素表示が遷移中の任意の時刻における画素に印加される電圧値に該当する上記第１変換テーブルの出力階調値であり、第２階調値は、上記第１階調値の入力階調値が入力されたときに、上記階調値変換部が上記第２変換テーブルを用いて、上記入力階調値を変換した結果として出力される出力階調値であり、上記第１階調値が上記第２階調値より小さい場合には、上記第１階調値が上記第２階調値より大きい場合のオーバードライブ駆動電圧より低いオーバードライブ駆動電圧が出力されることを特徴としている。
【発明の効果】
【００３４】
本発明の一態様によれば、目標の階調（輝度値）に達成されるまでの期間の間に、複数色成分画素からなる液晶表示装置の１表示単位である各画素において、輝度バランスが崩れるのを抑制可能な表示パネルをオーバードライブ駆動する駆動回路を実現できる。
【図面の簡単な説明】
【００３５】
【図１】液晶表示装置に備えられたデータ信号線駆動回路の重要部の概略構成を示す図である。
【図２】図１に図示したデータ信号線駆動回路から出力されるオーバードライブ駆動電圧を示す図である。
【図３】図１に図示したデータ信号線駆動回路において、オーバードライブ駆動電圧を算出する方法を説明するための図である。
【図４】液晶表示装置に備えられたデータ信号線駆動回路と、画素表示が遷移中の任意の時刻ｔ１・ｔ２・・・における画素に印加される電圧値を実測するための画素電圧検知部と、を示す図である。
【図５】従来において、液晶表示装置を通常駆動およびオーバードライブ駆動する場合、所望の画素電圧に到達するまでの時間を示す図である。
【図６】（ａ）は、理想的な画素電圧（Ｖ）とその画素の示す輝度値（Ｌ）との入出力特性と、赤（Ｒ）色成分画素および緑（Ｇ）色成分画素の入出力特性とを示す図であり、（ｂ）は、従来の液晶表示装置において、ルックアップテーブルを用いて補正した、信号値（Ｄ）と画素電圧（Ｖ）との対応関係を示す図である。
【図７】従来の液晶表示装置において、ある画素が黒の映像から白の映像に変化する場合に、白黒以外の色味が視認されるという問題が生じた場合を示す図である。
【発明を実施するための形態】
【００３６】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００３７】
本発明の実施の形態を図１〜図４に基づいて説明すれば以下のとおりである。
【００３８】
[実施の形態１]
以下、図１、図２および図３に基づいて、本実施の形態について説明する。
【００３９】
図１は、液晶表示装置に備えられたデータ信号線駆動回路１の重要部の概略構成を示す図である。
【００４０】
図示してないが、データ信号線駆動回路（駆動回路）１には、従来の液晶表示装置に備えられたデータ信号線駆動回路と同様に、映像信号に基づいて液晶表示パネルに設けられたデータ信号線に順次データ信号を供給するための構成が備えられている。
【００４１】
それから、図１に図示されているように、データ信号線駆動回路１には、オーバードライブ駆動電圧を設定するオーバードライブ電圧設定部２と、画素表示が遷移中の任意の時刻ｔ１における画素に印加される電圧値を算出する画素電圧算出部３と、が備えられている。
（画素電圧算出部）
画素電圧算出部３においては、画素表示が遷移中の任意の時刻ｔ１における画素に印加される電圧値を実測せず、該当画素の初期状態の電圧値Ｖ０に、微分方程式である下記式１により算出される微小時間ｄｔにおける該当画素の電圧変化量ｄｖを、上記微小時間ｄｔの合計が上記画素表示が遷移中の任意の時刻までの時間となるように、繰り返し加算して理論的に算出するようになっている。
【００４２】
【数１】
2015060051.tif 000003
【００４３】
なお、上記（式１）において、Ｒは該当画素回路における抵抗値、Ｃは該当画素回路における容量値、Ｖは該当画素への印加電圧値、ｖは該当画素の電圧値である。
【００４４】
すなわち、該当画素の時刻０を基準に微小時間ｄｔ後における該当画素の電圧変化量ｄｖを該当画素の初期状態の電圧値Ｖ０に加算した結果が新たな画素電圧値ｖとなり、さらに次の微小時間ｄｔ後における新たな画素電圧値ｖを同じ方程式で求めるということをくり返すと、時刻ｔ１での新たな画素電圧値ｖを算出できる。
【００４５】
そして、画素電圧算出部３は、理論的に算出された電圧値Ｖｔ１をオーバードライブ電圧設定部２に送るようになっている。
【００４６】
なお、本実施の形態においては、画素電圧算出部３をデータ信号線駆動回路１に備えた構成について説明しているが、これに限定されることはない。
（オーバードライブ電圧設定部）
オーバードライブ電圧設定部２は、例えば、図３に示す赤（Ｒ）色成分画素に補正を行うためのＤ−Ｖ特性に対応するＬＵＴ（第１変換テーブル）と、図３に示す未補正時のＤ−Ｖ特性に対応するＬＵＴ（第２変換テーブル）とを備えている。
【００４７】
具体的には、図３に示す赤（Ｒ）色成分画素に補正を行うためのＤ−Ｖ特性に対応するＬＵＴ（第１変換テーブル）と、図３に示す未補正時のＤ−Ｖ特性に対応するＬＵＴ（第２変換テーブル）とは、例えば、ＲＯＭやＲＡＭやレジスタからなる記憶部（未図示）に格納されている。
【００４８】
すなわち、オーバードライブ電圧設定部２は、入力階調値と出力階調値とが非線形の入出力特性に基づいて対応づけられているＬＵＴ（第１変換テーブル）、または、入力階調値と出力階調値とが線形の入出力特性に基づいて対応づけられているＬＵＴ（第２変換テーブル）を用いて、入力階調値を出力階調値に変換する階調値変換部を備えている。
【００４９】
そして、オーバードライブ電圧設定部２においては、上記理論的に算出された電圧値Ｖｔ１を元に、後述する方法でオーバードライブ駆動電圧を設定するようになっている。
【００５０】
以下、図２および図３に基づいて、オーバードライブ駆動電圧を設定する方法について詳しく説明する。
【００５１】
図２は、データ信号線駆動回路１から出力されるオーバードライブ駆動電圧を示す図である。
【００５２】
図３は、データ信号線駆動回路１において、オーバードライブ駆動電圧を算出する方法を説明するための図である。
【００５３】
図２に図示されているように、液晶表示装置のある画素が黒の映像から白の映像に変化する場合であり、画素表示が遷移中の任意の時刻ｔ１における画素に印加される電圧値を、画素電圧算出部３により理論的に算出した値が画素電圧Ｖｔ１となる。
【００５４】
なお、図２および図３における画素電圧は正規化されている。
【００５５】
なお、以下の説明においては、赤（Ｒ）色成分画素におけるオーバードライブ駆動電圧の設定方法についてのみ説明するが、緑（Ｇ）色成分画素や青（Ｂ）色成分画素などについても同様に設定をすることができる。
【００５６】
そして、オーバードライブ電圧設定部２には、図３に示す赤（Ｒ）色成分画素に補正を行うためのＤ−Ｖ特性に対応する第１ＬＵＴ（第１変換テーブル）が備えられている。第１ＬＵＴを用いることにより、入力階調値である正規化された信号値（Ｄ）を、非線形の上記Ｄ−Ｖ特性（非線形の入出力特性）に対応するように、出力階調値に変換することができる。すなわち、第１ＬＵＴでは、入力階調値と出力階調値とには非線形の関係がある。
【００５７】
オーバードライブ電圧設定部２は、まず、理論的に算出された電圧値Ｖｔ１に該当する階調値（第１階調値）を算出する。次に、第１ＬＵＴを参照して、この階調値を出力階調値として出力する第１ＬＵＴの入力階調値を取得する。すなわち、第１ＬＵＴに入力されると第１階調値に変換される入力階調値を、第１ＬＵＴから取得する。この入力階調値は、オーバードライブ駆動用の理論的に算出された電圧値Ｖｔ１に該当する出力階調値に変換される前における、正規化された信号値（Ｄ）である。
【００５８】
また、オーバードライブ電圧設定部２には、図３に示す未補正時のＤ−Ｖ特性（線形の入出力特性）に対応する第２ＬＵＴ（第２変換テーブル）も備えられている。第２ＬＵＴを用いることにより、上記入力階調値である正規化された信号値（Ｄ）を、線形の上記Ｄ−Ｖ特性（線形の入出力特性）に対応するように、出力階調値に変換することができる。すなわち、第２ＬＵＴでは、入力階調値と出力階調値とには線形の関係がある。
【００５９】
オーバードライブ電圧設定部２には、第１階調値を用いて第１ＬＵＴから取得した入力階調値を、第２ＬＵＴに入力することによって、出力階調値（第２階調値）を取得する。
【００６０】
この出力階調値は、正規化された画素電圧としては、図３に示すＶｎ１に該当する。図３に示すように、非線形の上記Ｄ−Ｖ特性において理論的に算出された電圧値Ｖｔ１に対応する正規化された信号値（Ｄ）は、線形の上記Ｄ−Ｖ特性においてＶｎ１に対応する正規化された信号値（Ｄ）に等しい。
【００６１】
それから、オーバードライブ電圧設定部２は、上記理論的に算出された電圧値Ｖｔ１に該当する出力階調値と上記Ｖｎ１に該当する出力階調値とを比較し、上記理論的に算出された電圧値Ｖｔ１に該当する出力階調値が上記Ｖｎ１に該当する出力階調値より小さい場合、すなわち、Ｖｎ１＞Ｖｔ１である場合には、正規化された画素電圧が１．０である通常のオーバードライブ駆動電圧より低い、正規化された画素電圧が０．９のオーバードライブ駆動電圧を該当データ信号線に出力するようになっている。
【００６２】
一方、オーバードライブ電圧設定部２は、上記理論的に算出された電圧値Ｖｔ１に該当する出力階調値と上記Ｖｎ１に該当する出力階調値とを比較し、上記理論的に算出された電圧値Ｖｔ１に該当する出力階調値が上記Ｖｎ１に該当する出力階調値より大きい場合、すなわち、Ｖｎ１＜Ｖｔ１である場合には、正規化された画素電圧が１．０である通常のオーバードライブ駆動電圧より高い、正規化された画素電圧が１．１のオーバードライブ駆動電圧を該当データ信号線に出力するようになっている。
【００６３】
なお、本実施の形態においては、通常のオーバードライブ駆動電圧を正規化された画素電圧１．０としているため、Ｖｎ１＜Ｖｔ１である場合には、通常のオーバードライブ駆動電圧より高いオーバードライブ駆動電圧が出力されるので、正規化された画素電圧が１．０より大きい１．１のオーバードライブ駆動電圧を該当データ信号線に出力するようになっている。すなわち、通常のオーバードライブ駆動は２５５階調に該当するオーバードライブ駆動電圧で行い、Ｖｎ１＜Ｖｔ１である場合には、２８０階調に該当するオーバードライブ駆動電圧でオーバードライブ駆動を行う。
【００６４】
なお、本実施の形態における通常のオーバードライブ駆動電圧、通常のオーバードライブ駆動電圧より高いオーバードライブ駆動電圧および通常のオーバードライブ駆動電圧より低いオーバードライブ駆動電圧の具体的な電圧値は、例示的に示した値であり、本発明がこれに限定されるものではない。
【００６５】
〔実施の形態２〕
次に、図２、図３および図４（ａ）に基づいて、本発明の実施の形態２について説明する。本実施の形態のデータ信号線駆動回路４においては、画素表示が遷移中の任意の時刻ｔ１・ｔ２・・・における画素に印加される電圧値が、画素電圧検知部５により、実測されるという点において、上述した実施の形態１とは異なる。その他の構成については実施の形態１において説明したとおりである。説明の便宜上、前記の実施の形態１の図面に示した部材と同じ機能を有する部材については、同じ符号を付し、その説明を省略する。
【００６６】
本実施の形態においては、ある画素が黒の映像（例えば、最小階調値）から白の映像（例えば、最大階調値）に変化する場合（白黒以外の色味が視認されるという問題が引き起こる階調変化）において、その画素における画素表示が遷移中の任意の時刻ｔ１・ｔ２・・・におけるその画素に印加される電圧値を、画素電圧検知部５により、実測している。
【００６７】
図４（ａ）は、液晶表示装置に備えられたデータ信号線駆動回路４と、画素表示が遷移中の任意の時刻ｔ１・ｔ２・・・における画素に印加される電圧値を実測するための画素電圧検知部５と、を示す図である。
【００６８】
図示してないが、データ信号線駆動回路（駆動回路）４には、従来の液晶表示装置に備えられたデータ信号線駆動回路と同様に、映像信号に基づいて液晶表示パネルに設けられたデータ信号線に順次データ信号を供給するための構成が備えられている。
【００６９】
それから、図４（ａ）に図示されているように、画素電圧検知部５は、画素が黒の映像から白の映像に変化する場合において、画素表示が遷移中の任意の時刻ｔ１・ｔ２・・・における画素に印加される電圧値Ｖｔ１・Ｖｔ２・・・を実測するためのものであって、データ信号線駆動回路４に備えられている。
【００７０】
本実施の形態においては、画素電圧検知部５は、データ信号線駆動回路４に備えられている構成としているが、これに限定されることはなく、データ信号線駆動回路４以外に備えられていてもよい。
（画素電圧検知部）
画素電圧検知部５は、例えば、液晶表示装置に備えられた液晶表示パネルのある画素の画素表示が遷移中の任意の時刻ｔ１・ｔ２・・・における輝度変化から、画素表示が遷移中の任意の時刻ｔ１・ｔ２・・・における画素に印加される電圧値Ｖｔ１・Ｖｔ２・・・を読み取るものである。
【００７１】
本実施の形態においては、画素電圧検知部５の一例として、液晶表示パネルのある画素の画素表示が遷移中の任意の時刻ｔ１・ｔ２・・・における輝度変化から、画素表示が遷移中の任意の時刻ｔ１・ｔ２・・・における画素に印加される電圧値Ｖｔ１・Ｖｔ２・・・を読み取るもの例に挙げたが、ある画素の画素表示が遷移中の任意の時刻ｔ１・ｔ２・・・における画素に印加される電圧値Ｖｔ１・Ｖｔ２・・・を読み取れるものであれば、特に限定されない。
【００７２】
なお、本実施の形態においては、液晶表示パネルのある画素の画素表示が遷移中の任意の時刻ｔ１・ｔ２・・・における輝度変化から読み取られた、画素表示が遷移中の任意の時刻ｔ１・ｔ２・・・における画素に印加される電圧値Ｖｔ１・Ｖｔ２・・・を用いて、オーバードライブ電圧設定部２の初期設定を行うようになっている。
【００７３】
以上のように、本実施の形態の画素電圧検知部５は、液晶表示パネルのある画素の画素表示が遷移中の任意の時刻ｔ１・ｔ２・・・における輝度変化から、画素表示が遷移中の任意の時刻ｔ１・ｔ２・・・における画素に印加される電圧値Ｖｔ１・Ｖｔ２・・・を実測可能な構成となっている。
（オーバードライブ電圧設定部）
オーバードライブ電圧設定部２は、図３に示す赤（Ｒ）色成分画素に補正を行うためのＤ−Ｖ特性に対応するＬＵＴ（第１変換テーブル）と、図３に示す未補正時のＤ−Ｖ特性に対応するＬＵＴ（第２変換テーブル）とを備えている。
【００７４】
すなわち、オーバードライブ電圧設定部２は、入力階調値と出力階調値とが非線形の入出力特性に基づいて対応づけられているＬＵＴ（第１変換テーブル）、または、入力階調値と出力階調値とが線形の入出力特性に基づいて対応づけられているＬＵＴ（第２変換テーブル）を用いて、入力階調値を出力階調値に変換する階調値変換部を備えている。
【００７５】
そして、オーバードライブ電圧設定部２においては、上記実測した値Ｖｔ１・Ｖｔ２・・・を元に、後述する方法でオーバードライブ駆動電圧を設定するようになっている。
【００７６】
以下、図２および図３に基づいて、オーバードライブ駆動電圧を設定する方法について詳しく説明する。
【００７７】
図２に図示されているように、液晶表示装置のある画素が黒の映像から白の映像に変化する場合であり、画素表示が遷移中の任意の時刻ｔ１における画素に印加される電圧値を実測した値Ｖｔ１は、通常のオーバードライブ駆動電圧である正規化された画素電圧１．０が印加された状態で実測した値である。
【００７８】
また、画素表示が遷移中の任意の時刻ｔ２における画素に印加される電圧値を実測した値Ｖｔ２も、通常のオーバードライブ駆動電圧である正規化された画素電圧１．０が印加された状態で実測した値である。
【００７９】
すなわち、画素電圧検知部５より、液晶表示パネルのある画素の画素表示が遷移中の任意の時刻ｔ１・ｔ２・・・における輝度変化から、画素表示が遷移中の任意の時刻ｔ１・ｔ２・・・における画素に印加される電圧値Ｖｔ１・Ｖｔ２・・・を読み出した値である。
【００８０】
なお、以下の説明においては、赤（Ｒ）色成分画素におけるオーバードライブ駆動電圧の設定方法についてのみ説明するが、緑（Ｇ）色成分画素や青（Ｂ）色成分画素などについても同様に設定をすることができる。
【００８１】
オーバードライブ電圧設定部２には、図３に示す赤（Ｒ）色成分画素に補正を行うためのＤ−Ｖ特性に対応する第１ＬＵＴ（第１変換テーブル）が備えられており、第１ＬＵＴを用いることにより、入力階調値である正規化された信号値（Ｄ）を、非線形の上記Ｄ−Ｖ特性（非線形の入出力特性）に対応するように、出力階調値に変換することができる。すなわち、第１ＬＵＴでは、入力階調値と出力階調値とには非線形の関係がある。
【００８２】
オーバードライブ電圧設定部２は、まず、実測値Ｖｔ１（または実測値Ｖｔ２）に該当する階調値（第１階調値）を算出する。次に、第１ＬＵＴを参照して、この階調値を出力階調値として出力する第１ＬＵＴの入力階調値を取得する。すなわち、第１ＬＵＴに入力されると第１階調値に変換される入力階調値を、第１ＬＵＴから取得する。この入力階調値は、オーバードライブ駆動用の実測値Ｖｔ１（または実測値Ｖｔ２）に該当する出力階調値に変換される前における、正規化された信号値（Ｄ）である。
【００８３】
オーバードライブ電圧設定部２には、図３に示す未補正時のＤ−Ｖ特性（線形の入出力特性）に対応する第２ＬＵＴ（第２変換テーブル）も備えられている。第２ＬＵＴを用いることにより、入力階調値である正規化された信号値（Ｄ）を、線形の上記Ｄ−Ｖ特性（線形の入出力特性）に対応するように、出力階調値に変換することができる。すなわち、第２ＬＵＴでは、入力階調値と出力階調値とには線形の関係がある。
【００８４】
オーバードライブ電圧設定部２には、第１階調値を用いて第１ＬＵＴから取得した入力階調値を、第２ＬＵＴに入力することによって、出力階調値（第２階調値）を取得する。この出力階調値は、画素電圧としては、図３に示すＶｎ１（またはＶｎ２）に該当する。図３に示すように、非線形の上記Ｄ−Ｖ特性において実測値Ｖｔ１（または実測値Ｖｔ２）に対応する信号値（Ｄ）は、線形の上記Ｄ−Ｖ特性においてＶｎ１（またはＶｎ２）に対応する信号値（Ｄ）に等しい。
【００８５】
オーバードライブ電圧設定部２は、上記実測値Ｖｔ１に該当する出力階調値と上記Ｖｎ１に該当する出力階調値とを比較し、上記実測値Ｖｔ１に該当する出力階調値が上記Ｖｎ１に該当する出力階調値より小さい場合、すなわち、Ｖｎ１＞Ｖｔ１である場合には、正規化された画素電圧が１．０である通常のオーバードライブ駆動電圧（第１オーバードライブ駆動電圧値）より低い、正規化された画素電圧が０．９のオーバードライブ駆動電圧を該当データ信号線に出力するように設定されている。
【００８６】
一方、図３に図示されているように、画素表示が遷移中の任意の時刻ｔ２における実測値Ｖｔ２に該当する出力階調値とＶｎ２に該当する出力階調値とを比較し、上記実測値Ｖｔ２に該当する出力階調値が上記Ｖｎ２に該当する出力階調値より大きい場合、すなわち、Ｖｎ２＜Ｖｔ２である場合には、正規化された画素電圧が１．０である通常のオーバードライブ駆動電圧より高い、正規化された画素電圧が１．１のオーバードライブ駆動電圧を該当データ信号線に出力するように設定されている。
【００８７】
なお、本実施の形態においても、通常のオーバードライブ駆動電圧を正規化された画素電圧１．０としているため、Ｖｎ２＜Ｖｔ２である場合には、通常のオーバードライブ駆動電圧より高いオーバードライブ駆動電圧が出力されるので、正規化された画素電圧が１．０より大きい１．１のオーバードライブ駆動電圧を該当データ信号線に出力するようになっている。すなわち、通常のオーバードライブ駆動は２５５階調に該当するオーバードライブ駆動電圧で行い、Ｖｎ１＜Ｖｔ１である場合には、２８０階調に該当するオーバードライブ駆動電圧でオーバードライブ駆動を行う。
【００８８】
本実施の形態のオーバードライブ電圧設定部２においては、以上のように初期設定がなされているため、目標の階調（輝度値）に達成されるまでの期間の間に、複数色成分画素からなる液晶表示装置の１表示単位である各画素において、輝度バランスが崩れるのを抑制可能な液晶表示パネルをオーバードライブ駆動する駆動回路を実現できる。
【００８９】
すなわち、目標の階調（輝度値）に達成されるまでの期間の間には、図３に図示されているように、例えば、赤（Ｒ）色成分画素において画素電圧が比較的低い値を有する領域を経由することとなるが、このような領域においては、そのＤ−Ｖ特性を見ると、むしろ補正を行わない場合よりも画素電圧を低くするのが望ましい状態である。
【００９０】
本実施の形態においては、このような領域において、補正を行わない場合より低い画素電圧となるようなオーバードライブ電圧を印加するように初期設定されている。
【００９１】
また、目標の階調（輝度値）に達成されるまでの期間の間には、図３に図示されているように、例えば、赤（Ｒ）色成分画素において画素電圧が比較的高い値を有する領域も経由することとなるが、このような領域においては、そのＤ−Ｖ特性を見ると、補正を行わない場合より画素電圧を高くするのが望ましい状態である。
【００９２】
本実施の形態においては、このような領域において、補正を行わない場合より高い画素電圧となるようなオーバードライブ電圧を印加するように初期設定されている。
【００９３】
したがって、目標の階調（輝度値）に達成されるまでの期間の間に、各画素において、輝度バランスが崩れるのを抑制可能な液晶表示パネルをオーバードライブ駆動する駆動回路を実現できる。
【００９４】
なお、本実施の形態における通常のオーバードライブ駆動電圧、通常のオーバードライブ駆動電圧より高いオーバードライブ駆動電圧および通常のオーバードライブ駆動電圧より低いオーバードライブ駆動電圧の具体的な電圧値は、例示的に示した値であり、本発明がこれに限定されるものではない。
【００９５】
なお、本実施の形態の構成においては、実際の電圧値に基づいた処理を行うため、電圧値を理論的に算出する第１の実施の形態の構成に比べて、より精密に制御することができるというメリットを有する。
【００９６】
〔実施の形態３〕
次に、図４（ｂ）に基づいて、本発明の実施の形態３について説明する。本実施の形態のデータ信号線駆動回路６には、随時変化するオーバードライブ電圧を出力するオーバードライブ電圧設定部７が備えられている点において、上述した実施の形態２とは異なる。その他の構成については実施の形態２において説明したとおりである。説明の便宜上、前記の実施の形態２の図面に示した部材と同じ機能を有する部材については、同じ符号を付し、その説明を省略する。
【００９７】
図４（ｂ）は、液晶表示装置に備えられたデータ信号線駆動回路６と、画素表示が遷移中の任意の時刻ｔ１・ｔ２・・・における画素に印加される電圧値を実測するための画素電圧検知部５と、を示す図である。
（オーバードライブ電圧設定部）
オーバードライブ電圧設定部７は、例えば、図３に示す赤（Ｒ）色成分画素に補正を行うためのＤ−Ｖ特性に対応するＬＵＴ（第１変換テーブル）と、図３に示す未補正時のＤ−Ｖ特性に対応するＬＵＴ（第２変換テーブル）とを備えている。
【００９８】
そして、オーバードライブ電圧設定部７においては、Ｖｔ（Ｖｔ１・Ｖｔ２・・・）がＶｎ（Ｖｎ１・Ｖｎ２・・・）より小さい場合のオーバードライブ駆動電圧値が、ＶｔがＶｎより大きい場合のオーバードライブ駆動電圧値より小さくなる連続的に変化する下記式２に示す関数となるオーバードライブ駆動電圧を該当データ信号線に出力するようになっている。
【００９９】
【数２】
2015060051.tif 000004
【０１００】
上述した実施の形態１および２においては、単純化のために通常のオーバードライブ電圧よりも低い電圧、高い電圧をそれぞれ１種類のみで駆動したが、本実施の形態においては、オーバードライブ電圧設定部７を備えることにより、随時オーバードライブ駆動電圧が変化する構成としている。
【０１０１】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
〔まとめ〕
本発明の態様１に係る駆動回路は、表示パネルをオーバードライブ駆動する駆動回路であって、入力階調値と出力階調値とが非線形の入出力特性に基づいて対応づけられている第１変換テーブル、または、入力階調値と出力階調値とが線形の入出力特性に基づいて対応づけられている第２変換テーブルを用いて、入力階調値を出力階調値に変換する階調値変換部を備え、第１階調値は、画素表示が遷移中の任意の時刻における画素に印加される電圧値に該当する上記第１変換テーブルの出力階調値であり、第２階調値は、上記第１階調値の入力階調値が入力されたときに、上記階調値変換部が上記第２変換テーブルを用いて、上記入力階調値を変換した結果として出力される出力階調値であり、上記第１階調値が上記第２階調値より小さい場合には、上記第１階調値が上記第２階調値より大きい場合のオーバードライブ駆動電圧より低いオーバードライブ駆動電圧が出力される構成である。
【０１０２】
画素表示が遷移中の任意の時刻には、例えば、赤（Ｒ）色成分画素において画素電圧（Ｖ）が比較的低い値を有する領域を経由することとなるが、そのＤ−Ｖ特性からすると、むしろ補正を行わない場合よりも画素電圧（Ｖ）を低くするのが望ましい状態となる場合がある。
【０１０３】
上記構成によれば、このような領域において、補正を行わない場合より低い画素電圧（Ｖ）となるようなオーバードライブ電圧を出力するようになっている。
【０１０４】
一方、画素表示が遷移中の任意の時刻には、例えば、赤（Ｒ）色成分画素において画素電圧（Ｖ）が比較的高い値を有する領域も経由することとなるが、そのＤ−Ｖ特性からすると、補正を行わない場合より画素電圧（Ｖ）を高くするのが望ましい状態となる場合がある。
【０１０５】
上記構成によれば、このような領域において、補正を行わない場合より高い画素電圧（Ｖ）となるようなオーバードライブ電圧を出力するようになっている。
【０１０６】
したがって、上記構成によれば、目標の階調（輝度値）に達成されるまでの期間の間に、複数色成分画素からなる液晶表示装置の１表示単位である各画素において、輝度バランスが崩れるのを抑制可能な表示パネルをオーバードライブ駆動する駆動回路を実現できる。
【０１０７】
本発明の態様２に係る駆動回路は、上記画素表示が遷移中の任意の時刻における画素に印加される上記電圧値を算出する電圧算出部を備えており、上記電圧算出部は、Ｒを該当画素回路における抵抗値、Ｃを該当画素回路における容量値、Ｖを該当画素への印加電圧値、ｖを該当画素の電圧値とした場合、該当画素の初期状態の電圧値Ｖ０に、式１により算出される微小時間ｄｔにおける該当画素の電圧変化量ｄｖを、上記微小時間ｄｔの合計が上記画素表示が遷移中の任意の時刻までの時間となるように、繰り返し加算して算出する構成であってもよい。
【０１０８】
【数１】
2015060051.tif 000005
【０１０９】
上記構成によれば、各々の画素に印加される電圧値を実測可能な構成が不要となるメリットがある。
【０１１０】
本発明の態様３に係る駆動回路は、上記画素表示が遷移中の任意の時刻における画素に印加される上記電圧値を検知する電圧検知部を備えている構成であってもよい。
【０１１１】
上記構成によれば、上記電圧検知部が備えられているので、より精度高く、上記第１階調値および上記第２階調値を求めることができる。
【０１１２】
本発明の態様４に係る駆動回路においては、上記オーバードライブ駆動電圧の値は、上記第１階調値が上記第２階調値より小さい場合の値が、上記第１階調値が上記第２階調値より大きい場合の値より小さくなる連続的に変化する関数であってもよい。
【０１１３】
上記構成によれば、随時オーバードライブ駆動電圧が変化する構成を実現できる。
【０１１４】
本発明の態様５に係る駆動回路においては、上記第１階調値は、第１オーバードライブ駆動電圧値が印加された場合に、上記画素表示が遷移中の任意の時刻における画素に印加される上記電圧値に該当する上記第１変換テーブルの出力階調値であり、上記第１階調値が上記第２階調値より小さい場合には、上記第１オーバードライブ駆動電圧値より小さいオーバードライブ駆動電圧が出力され、上記第１階調値が上記第２階調値より大きい場合には、上記第１オーバードライブ駆動電圧値より大きいオーバードライブ駆動電圧が出力される構成であってもよい。
【０１１５】
上記構成によれば、第１オーバードライブ駆動電圧値を基準に、出力されるオーバードライブ駆動電圧値を設定できる。
【産業上の利用可能性】
【０１１６】
本発明は、表示パネルをオーバードライブ駆動する駆動回路を備えた液晶表示装置に関する分野に好適に用いることができる。
【符号の説明】
【０１１７】
１        データ信号線駆動回路（駆動回路）
２        オーバードライブ電圧設定部
３        画素電圧算出部
４        データ信号線駆動回路（駆動回路）
５        画素電圧検知部
６        データ信号線駆動回路（駆動回路）
７        オーバードライブ電圧設定部
【図１】
2015060051.tif 000007
【図２】
2015060051.tif 000008
【図３】
2015060051.tif 000009
【図４】
2015060051.tif 000010
【図５】
2015060051.tif 000011
【図６】
2015060051.tif 000012
【図７】
2015060051.tif 000013